(57)【要約】  【課題】  ファクシミリ通信手順のフェーズＤ以降におけるファクシミリ通信の通信時間の短縮を図ることのできるファクシミリ装置，ファクシミリ通信システム及びファクシミリ通信方法を提供すること。  【解決手段】  ファクシミリ装置Ｘ１（送信端末）は，ファクシミリ通信手順のフェーズＤ以降におけるファクシミリ装置Ｘ２（受信端末）への初回の送信の際に，バイナリ信号及びトーン信号を送信し（Ｓ１１），該送信された前記バイナリ信号又は前記トーン信号のいずれかに応答して前記ファクシミリ装置Ｘ２から返信された返信信号がバイナリ信号であるかトーン信号であるかを判定し（Ｓ１３），該判定された前記返信信号と同種の信号を送信するように設定する（Ｓ１４，Ｓ１５）。【選択図】  図３
2006339767.tif 000002
【特許請求の範囲】
【請求項１】
ファクシミリ通信を進行させるための進行内容を示す信号を送受信することにより受信端末との間でファクシミリ通信を実行するファクシミリ装置であって，
ファクシミリ通信手順のフェーズＤ以降における前記受信端末への初回の送信の際に，前記進行内容を示すバイナリ信号及びトーン信号を送信する第１の信号送信手段と，
前記第１の信号送信手段により送信された前記バイナリ信号又は前記トーン信号のいずれかに応答して前記受信端末から返信された返信信号がバイナリ信号であるかトーン信号であるかを判定する信号種別判定手段と，
前記信号種別判定手段により判定された前記返信信号と同種の信号で前記進行内容を示す信号を前記受信端末へ送信する第２の信号送信手段と，
を備えてなることを特徴とするファクシミリ装置。
【請求項２】
前記第１の信号送信手段が，前記バイナリ信号と前記トーン信号とを多重化した多重信号を送信するものである請求項１に記載のファクシミリ装置。
【請求項３】
前記第２の信号送信手段が，前記信号種別判定手段による判定後における前記ファクシミリ通信手順において前記返信信号と同種の信号で前記進行内容を示す信号を送信するものである請求項１又は２のいずれかに記載のファクシミリ装置。
【請求項４】
前記信号種別判定手段により前記返信信号がトーン信号であると判定された場合は，
前記第２の信号送信手段が，該第２の信号送信手段により前記受信端末へ送信されたトーン信号に応答して該受信端末から返信された返信トーン信号を受信するまでの間，連続的或いは断続的にトーン信号を送信するものである請求項１〜３のいずれかに記載のファクシミリ装置。
【請求項５】
ファクシミリ通信を進行させるための進行内容を示す信号を送受信することにより送信端末と受信端末との間でファクシミリ通信を実行するファクシミリ通信システムであって，
前記送信端末が，
ファクシミリ通信手順のフェーズＤ以降における前記受信端末への初回の送信の際に，前記進行内容を示すバイナリ信号及びトーン信号を送信する第１の信号送信手段と，
前記第１の信号送信手段により送信された前記バイナリ信号又は前記トーン信号のいずれかに応答して前記受信端末から返信された返信信号がバイナリ信号であるかトーン信号であるかを判定する信号種別判定手段と，
前記信号種別判定手段により判定された前記返信信号と同種の信号で前記進行内容を示す信号を前記受信端末へ送信する第２の信号送信手段と，
を備えてなり，
前記受信端末が，
前記送信端末から受信したトーン信号に応答して前記送信端末に前記進行内容を示す返信トーン信号を返信するトーン信号返信手段を備えてなることを特徴とするファクシミリ通信システム。
【請求項６】
ファクシミリ通信を進行させるための進行内容を示す信号を送受信することにより送信端末と受信端末との間でファクシミリ通信を実行するファクシミリ通信方法であって，
前記送信端末が，
ファクシミリ通信手順のフェーズＤ以降における前記受信端末への初回の送信の際に，前記進行内容を示すバイナリ信号及びトーン信号を送信する第１の信号送信工程と，
前記第１の信号送信工程により送信された前記バイナリ信号又は前記トーン信号のいずれかに応答して前記受信端末から返信された返信信号がバイナリ信号であるかトーン信号であるかを判定する信号種別判定工程と，
前記信号種別判定工程により判定された前記返信信号と同種の信号で前記進行内容を示す信号を前記受信端末へ送信する第２の信号送信工程と，
を備えてなり，
前記受信端末が，
前記送信端末から受信したトーン信号に応答して前記送信端末に前記進行内容を示す返信トーン信号を返信するトーン信号返信工程を備えてなることを特徴とするファクシミリ通信方法。
【発明の詳細な説明】
【技術分野】
【０００１】
本発明は，ファクシミリ通信を進行させるための進行内容を示す信号の送受信により実行されるファクシミリ通信の技術に関し，特に前記ファクシミリ通信の通信時間の短縮を図る技術に関するものである。
【背景技術】
【０００２】
電話回線などの一般公衆回線を介して他のファクシミリ装置との間でファクシミリ通信を実行するファクシミリ装置では，前記他のファクシミリ装置との間で，ファクシミリ通信を進行させるための進行内容を示す信号（例えば，後述するＣＮＧ，ＭＰＳ，ＭＣＦ，ＥＯＰ，ＤＣＮなど）を送受信することによりファクシミリ通信が実行される。このファクシミリ通信の実行手順は，ＩＴＵ−Ｔ勧告により標準化されたフェーズＡ〜フェーズＥの５つに分けられた各フェーズによって構成されている。ここで，図６を用いて，前記フェーズＡ〜フェーズＥについて説明する。ここに，図６はファクシミリ装置Ｘ１からファクシミリ装置Ｘ２に３ページの画像データがファクシミリ送信される場合の従来のファクシミリ通信手順の一例を示している。
【０００３】
図６に示すように，まずフェーズＡでは，呼設定を行うため，ファクシミリ装置Ｘ１が送信可能状態になったことを示すＣＮＧ信号が，該ファクシミリ装置Ｘ１からファクシミリ装置Ｘ２に送信される。
そして，前記ＣＮＧ信号を受信したファクシミリ装置Ｘ２は，前記ＣＮＧ信号の受信に応答して，該ファクシミリ装置Ｘ２が受信可能状態になったことを示すＣＥＤ信号を前記ファクシミリ装置Ｘ１に送信する。なお，前記ＣＮＧ信号は周波数１１００Ｈｚ，前記ＣＥＤ信号は周波数２１００Ｈｚのトーン信号であるが，以下のフェーズＢ〜フェーズＥで送受信される各種の信号は，例えば８ビットのバイナリ信号である。
【０００４】
続いて，フェーズＢでは，通信の初期設定を行うため，前記ファクシミリ装置Ｘ２の機能（例えば，モデムの種類，記録紙幅，解像度など）を示すＤＩＳ信号が，該ファクシミリ装置Ｘ２から前記ファクシミリ装置Ｘ１に送信される。
そして，前記ＤＩＳ信号を受信した前記ファクシミリ装置Ｘ１は，前記ＤＩＳ信号の受信に応答して，どのような送信条件（例えば，モデムスピード，記録紙幅，解像度など）で通信を開始するかを示すＤＣＳ信号と，モデムトレーニングチェック用のＴＣＦ信号とを，前記ファクシミリ装置Ｘ２に送信する。
前記ＴＣＦ信号を受信した前記ファクシミリ装置Ｘ２は，前記ＤＣＳ信号に基づく送信条件でモデムトレーニングを実行した後，モデムトレーニングが成功したことを示すＣＦＲ信号を前記ファクシミリ装置Ｘ１に送信する。なお，前記モデムトレーニングが失敗した場合にはその旨を示すＦＴＴ信号が送信される。
【０００５】
そして，フェーズＣでは，前記フェーズＢで設定された送信条件に基づいて前記ファクシミリ装置Ｘ１から前記ファクシミリ装置Ｘ２へ，１ページ目の画像データ（メッセージ）が送信される。
その後，フェーズＤでは，１ページ目の画像データの送信が終了したことを示すＭＰＳ信号が，前記ファクシミリ装置Ｘ１から前記ファクシミリ装置Ｘ２へ送信される。
前記ＭＰＳ信号を受信した前記ファクシミリ装置Ｘ２は，前記ＭＰＳ信号の受信に応答して，前記１ページ目の画像データを正常に受信したことを示すＭＣＦ信号を前記ファクシミリ装置Ｘ１に送信する。なお，前記画像データが正常に受信されていない場合には，ＲＴＮ信号が送信される。
このフェーズＣ〜フェーズＤの手順は，最終ページになるまで繰り返し実行される。
【０００６】
その後，３ページ目の画像データの送信が終了すると，フェーズＤでは，最終ページの送信が終了したことを示すＥＯＰ信号が，前記ファクシミリ装置Ｘ１から前記ファクシミリ装置Ｘ２へ送信される。
前記ＥＯＰ信号を受信したファクシミリ装置Ｘ２は，前記ＥＯＰ信号の受信に応答して，３ページ目の画像データを正常に受信したことを示すＭＣＦ信号を前記ファクシミリ装置Ｘ１に送信する。これにより，前記ファクシミリ装置Ｘ１と前記ファクシミリ装置Ｘ２との通信の終了を確認するフェーズＤが終了する。
最後にフェーズＥでは，前記ファクシミリ装置Ｘ１と前記ファクシミリ装置Ｘ２とのファクシミリ通信を終了するためのＤＣＮ信号が，該ファクシミリ装置Ｘ１から前記ファクシミリ装置Ｘ２に送信される。これにより，前記フェーズＡで設定された呼が開放され，当該フェーズＡ〜フェーズＥに基づくファクシミリ通信は終了する。
【０００７】
ところで，前記のように複数ページにわたる画像データのファクシミリ送信を行う場合には，稀にページによって前記送信条件が変更されることがある。この場合，前記フェーズＤにおいて前記ファクシミリ装置Ｘ１から前記ファクシミリ装置Ｘ２に送信される前記ＭＰＳ信号に代えて，１ページの画像データの送信が終了したことと前記送信条件を変更することを示すＥＯＭ信号が送信される。そして，前記ＥＯＭ信号を受信した前記ファクシミリ装置Ｘ２は，１ページの画像データを受信したことと前記ＥＯＭ信号を受信したことを示すＭＣＦ信号を，前記ファクシミリ装置Ｘ１に送信する。その後，既定された待ち時間６秒の経過後，前記フェーズＤから前記フェーズＢに移行して前記送信条件の再設定が行われる。
このように前記送信条件が変更される場合に，前記フェーズＤにおいてＥＯＭ信号とトーン信号とを同時に前記ファクシミリ装置Ｘ１から前記ファクシミリ装置Ｘ２に送信することにより，前記フェーズＤから前記フェーズＢへ移行するまでの待ち時間の短縮を図る技術が特許文献１に開示されている。
【特許文献１】特開２０００−１２５１０１号公報
【発明の開示】
【発明が解決しようとする課題】
【０００８】
しかしながら，前記特許文献１の技術は，前記送信条件を変更するという稀な事態が生じた場合において前記フェーズＤから前記フェーズＢへ移行するまでの待ち時間の短縮を図るものであって，前記送信条件を変更しない場合のファクシミリ通信の通信時間を短縮することができるものではない。
従って，本発明は上記事情に鑑みてなされたものであり，その目的とするところは，ファクシミリ通信手順のフェーズＤ以降におけるファクシミリ通信の通信時間の短縮を図ることのできるファクシミリ装置，ファクシミリ通信システム及びファクシミリ通信方法を提供することにある。
【課題を解決するための手段】
【０００９】
上記目的を達成するために本発明は，ファクシミリ通信を進行させるための進行内容を示す信号を送受信することにより受信端末との間でファクシミリ通信を実行するファクシミリ装置に適用されるものであって，ファクシミリ通信手順のフェーズＤ以降における前記受信端末への初回の送信の際に，前記進行内容を示すバイナリ信号及びトーン信号を送信し，該送信された前記バイナリ信号又は前記トーン信号のいずれかに応答して前記受信端末から返信された返信信号がバイナリ信号であるかトーン信号であるかを判定し，該判定された前記返信信号と同種の信号で前記進行内容を示す信号を前記受信端末へ送信するように構成される。ここに，ファクシミリ通信手順のフェーズＤ以降における前記受信端末への初回の送信の際には，前記バイナリ信号と前記トーン信号とを多重化した多重信号を送信することが考えられる。また，前記判定後における前記ファクシミリ通信手順においては，前記返信信号と同種の信号で前記進行内容を示す信号を送信することが望ましい。
これにより，前記トーン信号を送受信することが可能な受信端末との間では，前記判定後における前記ファクシミリ通信手順において，バイナリ信号よりも送信時間の短いトーン信号の送受信によってファクシミリ通信手順を進行させることができるため，ファクシミリ通信の通信時間の短縮を図ることができる。なお，一般に，所定のデータ長の２進数のデジタルデータであるバイナリ信号の送受信は，該バイナリ信号の周波数変調・復調処理が伴うため，トーン信号の送受信よりも長い通信時間を要する。また，バイナリ信号は，そのデータ長が長くなる程，送受信に長い通信時間を要する。
特に，本発明によれば，前記トーン信号を送受信することが可能な受信端末との間では，従来，フェーズＤにおいて１ページの送信終了後毎に送信されていた前記ＭＰＳ信号や前記ＭＣＦ信号が，トーン信号に代えて送信されるため，送信ページ数の増大に伴ってファクシミリ通信の通信時間の短縮効果が高まる。
ところで，従来，フェーズＤの前段で実行されるフェーズＢにおいて，フェーズＤ以降における信号の送信をバイナリ信号で行うかトーン信号で行うかを調製する処理が必要とされていた。しかし，本発明によれば，フェーズＤ以降の初めの通信時にバイナリ信号及びトーン信号が送信され，該送信に応答して前記受信端末から返信された返信信号が判定され，その後の信号の送信をバイナリ信号で行うかトーン信号で行うかが設定される。そのため，フェーズＢにおける前記調整処理は必要なく，手順を簡素化することが可能である。
【００１０】
また，前記返信信号がトーン信号であると判定された場合，即ち前記受信端末が前記トーン信号を送受信することが可能であると判定された場合には，例えばノイズ等の原因により前記受信端末側で前記トーン信号が正常に受信されずに，或いは前記ファクシミリ装置（送信端末）側で前記返信信号が正常に受信されずに前記ファクシミリ通信手順が停滞することを防止して，ファクシミリ通信の信頼性を向上させるべく，前記受信端末へ送信されたトーン信号に応答して該受信端末から返信された返信トーン信号を受信するまでの間，連続的或いは断続的にトーン信号を送信することが考えられる。ここで，前記受信端末側で前記トーン信号が正常に受信されていないと判断するための時間は，前記バイナリ信号を用いていた従来と比べて短く設定することが可能であるため，前記ファクシミリ通信手順における時間的なロスを低減することができる。
【００１１】
また，本発明は，前記ファクシミリ装置（送信端末）と該ファクシミリ装置から受信したトーン信号に応答して前記ファクシミリ装置に前記進行内容を示す返信トーン信号を返信する受信端末との間でファクシミリ通信を実行するファクシミリ通信システム又はファクシミリ通信方法として捉えることができる。
前記ファクシミリ通信システム及び前記ファクシミリ通信方法によれば，前記判定後における前記ファクシミリ通信手順において，バイナリ信号よりも送信時間の短いトーン信号の送受信によってファクシミリ通信手順を進行させることができるため，ファクシミリ通信の通信時間の短縮を図ることができる。
【発明の効果】
【００１２】
本発明によれば，前記判定後における前記ファクシミリ通信手順において，バイナリ信号よりも送信時間の短いトーン信号の送受信によってファクシミリ通信手順を進行させることができるため，ファクシミリ通信の通信時間の短縮を図ることができる。特に，前記トーン信号を送受信することが可能な端末間では，従来，フェーズＤにおいて１ページの送信終了後毎に送信されていた前記ＭＰＳ信号や前記ＭＣＦ信号が，トーン信号に代えて送信されるため，送信ページ数の増大に伴ってファクシミリ通信の通信時間の短縮効果が高まる。さらに，フェーズＤ以降の初めの通信時にバイナリ信号及びトーン信号が送信され，該送信に応答して前記受信端末から返信された返信信号が判定され，その後の信号の送信をバイナリ信号で行うかトーン信号で行うかが設定されるため，フェーズＢにおける信号種別の調整処理が必要なく，手順を簡素化することが可能である。
また，前記受信端末側で前記トーン信号が正常に受信されていない，或いは前記ファクシミリ装置（送信端末）側で前記返信信号が正常に受信されていないと判断するための時間を，前記バイナリ信号を用いていた従来と比べて短く設定することが可能であるため，前記ファクシミリ通信手順における時間的なロスを低減することができる。
【発明を実施するための最良の形態】
【００１３】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るファクシミリ通信システムＸの概略構成を示すブロック図，図２はバイナリ信号，トーン信号及び進行内容の対応図，図３はファクシミリ装置Ｘ１において制御部８ａにより実行される信号種別設定処理の一例を説明するフローチャート，図４は前記ファクシミリ通信システムＸにおいて実行されるファクシミリ通信手順のフェーズＤの一例を示す図である。
まず，図１のブロック図を用いて，本発明の実施の形態に係るファクシミリ通信システムＸの概略構成について説明する。
図１に示すように，前記ファクシミリ通信システムＸは，ファクシミリ通信を進行させるための進行内容を示す信号を送受信することによりファクシミリ通信を実行するファクシミリ装置Ｘ１及び該ファクシミリ装置Ｘ１に電話回線１１を介して接続されたファクシミリ装置Ｘ２を備えて構成されている。
【００１４】
ここで，前記ファクシミリ装置Ｘ１の概略構成について説明する。なお，前記ファクシミリ装置Ｘ２は，前記ファクシミリ装置Ｘ１と同様に構成されているため，該ファクシミリ装置Ｘ２の構成要素を表す符合を括弧書きで示してその図示及び説明を省略する。
前記ファクシミリ装置Ｘ１（Ｘ２）は，大別すると，スキャナ部１ａ（１ｂ），画像メモリ２ａ（２ｂ），画像形成部３ａ（３ｂ），操作部４ａ（４ｂ），表示部５ａ（５ｂ），ファクシミリ通信部６ａ（６ｂ），記憶部７ａ（７ｂ），及びこれらの各部を統括的に制御する制御部８ａ（８ｂ）とを備えている。
前記スキャナ部１ａ（１ｂ）は，前記ファクシミリ装置Ｘ２（Ｘ１）に送信するための画像情報を読み取るものであって，ＣＣＤ（Charge Coupled Device）やＣＩＳ（Contact Image Sensor）等のイメージセンサを備えている。このスキャナ部１ａ（１ｂ）では，原稿台にセットされた原稿を搬送させながら，原稿面を走査することにより，前記原稿の画像がライン毎に読み取られて，デジタルデータ化される。このように読み取られた画像データは図示しない画像処理部において所定の画像処理（圧縮処理，濃度補正処理等）が実行され，その後，前記制御部８ａ（８ｂ）によって前記画像メモリ２ａ（２ｂ）に一時的に記憶される。
【００１５】
前記画像メモリ２ａ（２ｂ）は，不揮発性メモリやＳＤＲＡＭなどの読み書き可能な半導体メモリである。この画像メモリ２ａ（２ｂ）には，前記スキャナ部１ａ（１ｂ）で読み取られた画像データや前記ファクシミリ装置Ｘ２（Ｘ１）から送信されてきた画像データ等が一時的に格納される。
前記画像形成部３ａ（３ｂ）は，前記画像メモリ２ａ（２ｂ）に格納された画像データに応じた可視像（例えばトナー像）を記録紙に転写させて定着させるものであり，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置などの周知の各種装置を備えて構成されている。
【００１６】
前記操作部４ａ（４ｂ）は，ファクシミリ通信を行う相手端末のＦＡＸ番号の入力，ファクシミリ通信の開始或いはその停止の指示などに関する操作がユーザによって行われるものであり，例えば，テンキーやプッシュボタンなどを備えて当該ファクシミリ装置Ｘ１（Ｘ２）の図示しない操作パネル上に適宜配設されている。なお，前記操作パネルがタッチパネル等で構成されている場合は，前記操作部４ａ（４ｂ）はそのタッチパネル上に具現化されたものであってもよい。
前記表示部５ａ（５ｂ）は，前記操作部４ａ（４ｂ）による入力情報や指示内容など，各種の情報を視認可能な情報として表示する液晶ディスプレイパネル（ＬＣＤ）などで構成されており，前記ファクシミリ装置Ｘ１（Ｘ２）の図示しない操作パネル上の前記操作部４ａ（４ｂ）の近傍に配設されている。
【００１７】
前記ファクシミリ通信部６ａ（６ｂ）は，前記ファクシミリ装置Ｘ２（Ｘ１）との間でバイナリ信号を送受信するバイナリ信号通信部６１ａ（６１ｂ）と，前記ファクシミリ装置Ｘ２（Ｘ１）との間でトーン信号を送受信するトーン信号通信部６２ａ（６２ｂ）と，前記ファクシミリ装置Ｘ２（Ｘ１）との間で画像データを送受信する画像データ通信部６３と，を備えている。
前記バイナリ信号通信部６１ａ（６１ｂ）は，ＩＴＵ−Ｔ勧告名称Ｖ．２１の周波数偏移変調方式に従って前記ファクシミリ装置Ｘ２（Ｘ１）に送信するバイナリ信号の周波数変調を行う変調機能と，前記ファクシミリ装置Ｘ２（Ｘ１）から送信されたバイナリ信号の周波数復調を行う復調機能とを有している。
前記トーン信号通信部６２ａ（６２ｂ）は，前記ファクシミリ装置Ｘ２（Ｘ１）に送信する所定の周波数のトーン信号を生成するトーン信号生成機能と，前記ファクシミリ装置Ｘ２（Ｘ１）から送信されるトーン信号を検知してその周波数を検出するトーン信号検出機能とを有している。
前記画像データ通信部６３は，ファクシミリ通信手順のフェーズＣ（図６参照）において，前記ファクシミリ装置Ｘ２から伝送された画像データを受信し或いは前記画像メモリ２ａ（２ｂ）に記憶された画像データを前記ファクシミリ装置Ｘ２に送信するものであって，一般的に前記バイナリ信号通信部６１ａ（６１ｂ）や前記トーン信号通信部６２ａ（６２ｂ）よりも高速のデータ通信が可能である。
ここに，前記バイナリ信号及び前記トーン信号は，前記ファクシミリ装置Ｘ１と前記ファクシミリ装置Ｘ２との間で実行されるファクシミリ通信を進行させるための進行内容を示す信号として用いられるものであって，図２に示すように，各々が対応付けられた状態で前記記憶部７ａ（７ｂ）に記憶されている。
前記記憶部７ａ（７ｂ）は，半導体メモリやＨＤＤ等で構成されており，前記したように，前記バイナリ信号，前記トーン信号及び前記進行内容が関連付けられた状態で記憶されている。例えば，ＭＣＦ信号というバイナリ信号及び周波数１２５０Ｈｚのトーン信号は，１ページの受信正常という進行内容に対応しており，前記ファクシミリ装置Ｘ１（Ｘ２）では，前記ＭＣＦ信号又は前記周波数１２５０ＨＺのトーン信号を前記ファクシミリ装置Ｘ２（Ｘ１）から受信することにより，該信号に対応する進行内容（１ページの受信が正常に終了したこと）が認識される。
【００１８】
前記制御部８ａ（８ｂ）は，上述したようにファクシミリ装置Ｘ１（Ｘ２）を構成する各要素を統括的に制御するものであって，ＣＰＵやＲＯＭ，ＲＡＭなどの制御機器を備えて構成されている。前記ＲＯＭには，前記ファクシミリ装置Ｘ１（Ｘ２）の制御や通信などに用いる制御プログラムや通信プログラムのほか，制御及び通信に用いる各種データ（リダイヤルの回数情報など）が格納されており，前記ＣＰＵによってこれらプログラムやデータが読み出されて前記ＲＡＭで展開，演算されることにより，前記ファクシミリ装置Ｘ１（Ｘ２）の制御，通信が具体的に実現される。より具体的には，前記ファクシミリ装置Ｘ１（Ｘ２）では，前記制御部８ａ（８ｂ）によって前記ファクシミリ通信部６ａ（６ｂ）が制御され，前記ファクシミリ装置Ｘ２（Ｘ１）との間で前記記憶部７ａ（７ｂ）に記憶された前記進行内容に対応した前記バイナリ信号や前記トーン信号が送受信されることによってファクシミリ通信が実行される。
以上のように構成された本ファクシミリ装置Ｘ１（Ｘ２）では，ファクシミリ通信手順のフェーズＤの開始に際して，前記制御部８ａ（８ｂ）により以下の信号種別設定処理が実行され，該信号種別設定処理後に前記ファクシミリ通信システムＸにより送信される前記進行内容に対応する信号の種別（バイナリ信号又はトーン信号）が設定される。
【００１９】
以下，図３及び図４を用いて前記ファクシミリ通信システムＸにおいて前記ファクシミリ装置Ｘ１と前記ファクシミリ装置Ｘ２との間で実行されるファクシミリ通信手順のフェーズＤについて説明する。ここでは，前記ファクシミリ装置Ｘ１から前記ファクシミリ装置Ｘ２へファクシミリ送信を実行する場合を例に説明する。即ち，前記ファクシミリ装置Ｘ１が送信端末，前記ファクシミリ装置Ｘ２が受信端末に相当する。
ここに，図３は前記ファクシミリ通信システムＸのファクシミリ装置Ｘ１において制御部８ａにより実行される信号種別設定処理の一例を説明するフローチャート，図４は前記ファクシミリ通信システムＸにおいて実行されるファクシミリ通信手順のフェーズＤの一例を示す図であって，図４（ａ）は前記ファクシミリ装置Ｘ１と従来周知のファクシミリ装置との間で実行されるファクシミリ通信手順のフェーズＤの一例，図４（ｂ）及び図４（ｃ）は前記ファクシミリ装置Ｘ１と前記ファクシミリ装置Ｘ２との間で実行されるファクシミリ通信手順のフェーズＤの一例を示すものである。なお，図３中のＳ１１，Ｓ１２，…，及びＳ２１，Ｓ２２，…は前記制御部８ａ及び前記制御部８ｂによる処理手順（ステップ）番号を示している。また，前記ファクシミリ通信システムＸにおけるファクシミリ通信手順のフェーズＡ〜フェーズＣは，図６を用いて説明した従来のファクシミリ通信手順と異なるところがないため説明を省略する。
【００２０】
前記ファクシミリ通信システムＸでは，ファクシミリ通信手順のフェーズＡ〜フェーズＣ（図６参照）が順に実行され，前記ファクシミリ装置Ｘ１から前記ファクシミリ装置Ｘ２に１ページ分の画像データが送信されると続くフェーズＤに移行する。前述したように，従来のフェーズＤでは，バイナリ信号である前記ＭＰＳ信号だけが前記ファクシミリ通信部６ａのバイナリ信号通信部６１ａによって前記ファクシミリ装置Ｘ１から前記ファクシミリ装置Ｘ２に向けて送信される。
しかし，前記ファクシミリ通信システムＸにおけるフェーズＤでは，図４の左側のフローチャートに示すように，前記フェーズＤ以降における前記ファクシミリ装置Ｘ２への初回の送信の際に，前記制御部８ａによって前記ファクシミリ通信部６ａが制御されることにより，前記バイナリ信号通信部６１ａによる前記ＭＰＳ信号の送信と略同時に，該ＭＰＳ信号と同様の進行内容に対応する周波数１２００Ｈｚのトーン信号（図２参照）が前記トーン信号通信部６２ａにより送信される（Ｓ１１）。ここで，前記ＭＰＳ信号と前記周波数１２００Ｈｚのトーン信号との同時送信は，前記ファクシミリ通信部６ａにおいて前記ＭＰＳ信号と前記周波数１２００Ｈｚのトーン信号とを多重化し，その多重信号を送信することにより実現される。ここに，前記ファクシミリ通信部６ａが制御することにより，前記バイナリ信号及び前記トーン信号を，前記ファクシミリ装置Ｘ１から前記ファクシミリ装置Ｘ２へ送信するときの前記制御部８ａが第１の信号送信手段に相当する。
【００２１】
一方，図４の右側のフローチャートに示すように，前記ファクシミリ装置Ｘ２では，前記ファクシミリ装置Ｘ１から前記進行内容を示す信号を受信したか否かが前記制御部８ｂによって判断される（Ｓ２１）。ここでは，前記ステップＳ１１において前記ファクシミリ装置Ｘ１から前記ＭＰＳ信号及び前記周波数１２００Ｈｚのトーン信号を多重化した多重信号が送信されているため，該ファクシミリ装置Ｘ２では，前記多重信号が受信される。このように，前記ファクシミリ装置Ｘ１から信号が受信されると（Ｓ２１のＹｅｓ側），処理はステップＳ２２に移行する。なお，前記多重信号は，前記ファクシミリ装置Ｘ２のファクシミリ通信部６ｂにおいて，前記ＭＰＳ信号と前記周波数１２００Ｈｚのトーン信号とに分解される。ここで，多重信号の分解は，例えばバイナリ信号で使用する周波数帯域とトーン信号で使用する周波数帯域との違いに基づいて行われる。そして，分解された前記ＭＰＳ信号は，前記バイナリ信号通信部６１ｂで受信され，前記周波数１２００Ｈｚのトーン信号は，前記トーン信号通信部６２ｂで受信される。
そして，ステップＳ２２では，前記ファクシミリ装置Ｘ１から受信した信号にトーン信号が含まれているか否かが前記ファクシミリ装置Ｘ２の制御部８ｂによって判定される。なお，前記判定は，例えば前記トーン信号通信部６２ｂによりトーン信号が受信されたか否かに基づいて行われる。ここでは，前記トーン信号通信部６２ｂが，前記ファクシミリ装置Ｘ１から前記周波数１２００Ｈｚのトーン信号を受信しているため（Ｓ２２のＹｅｓ側），処理はステップＳ２３に移行する。
次に，ステップＳ２３では，前記ファクシミリ装置Ｘ１に前記進行内容を送信する際には，該進行内容に対応するトーン信号を送信するように前記制御部８ｂによって設定される。そして，続くステップＳ２４では，前記制御部８ｂによって前記ファクシミリ通信部６ｂが制御されることにより，該ファクシミリ通信部６ｂのトーン信号通信部６２ｂによって，前記周波数１２００Ｈｚのトーン信号に対応する前記進行内容に応答する返信信号として，１ページの受信が正常に終了したことを示す周波数１２５０Ｈｚのトーン信号（図２参照）が，前記ファクシミリ装置Ｘ１に返信される（図４（ｂ）参照）。ここに，前記ファクシミリ通信部６ｂを制御することにより，トーン信号の受信に応答してトーン信号を返信するときの前記制御部８ｂがトーン信号返信手段に相当する。
他方，前記ステップＳ２２において前記受信信号にトーン信号が含まれておらず，バイナリ信号だけが含まれていると判定された場合には（Ｓ２２のＮｏ側），処理はステップＳ２５に移行する。このステップＳ２５では，前記ファクシミリ装置Ｘ１に前記進行内容を送信する際には，該進行内容に対応するバイナリ信号を送信するように前記制御部８ｂによって設定される。そして，続くステップＳ２６では，前記制御部８ｂによって前記ファクシミリ通信部６ｂが制御され，前記バイナリ信号に対応する前記進行内容に応答する返信信号として，１ページの受信が正常に終了したことを示すＭＣＦ信号（図２参照）が，前記ファクシミリ装置Ｘ１に返信される（図４（ａ）参照）。
【００２２】
一方，前記ファクシミリ装置Ｘ１では，前記ステップＳ２４又はＳ２６において前記ファクシミリ装置Ｘ２から送信された返信信号が，前記ファクシミリ通信部６ａにより受信されことが前記制御部８ａによって判断されるため（Ｓ１２のＹｅｓ側），処理はステップＳ１３に移行する。
そして，ステップＳ１３では，前記返信信号がトーン信号であるか否かが判定される。かかる判定は，例えば前記トーン信号通信部６２ａでトーン信号が受信されたか否かに基づいて行われる。ここで，前記返信信号がトーン信号であると判定されると（Ｓ１３のＹｅｓ側），前記ファクシミリ装置Ｘ２がトーン信号の送受信に対応可能であると判断され，処理はステップＳ１４に移行する。他方，前記返信信号がトーン信号ではない，即ち前記返信信号がバイナリ信号（ＭＣＦ信号）であると判定されると（Ｓ１３のＮｏ側），前記ファクシミリ装置Ｘ２がトーン信号の送受信に対応不能であると判断され，処理はステップＳ１５に移行する。ここに，前記ステップＳ１３において，前記返信信号の種別がバイナリ信号であるかトーン信号であるかを判定する判定処理を実行するときの前記制御部８ａが信号種別判定手段に相当する。
【００２３】
ステップＳ１４では，前記ファクシミリ装置Ｘ２に前記進行内容を送信する際には，該進行内容に対応するトーン信号を送信するように前記制御部８ａによって設定され，当該信号種別設定処理が終了される。これにより，前記ファクシミリ装置Ｘ１では，当該ステップＳ１４以降のファクシミリ通信手順においては，前記ファクシミリ通信部６ａが前記制御部８ａに制御されることにより，前記進行内容に対応するトーン信号が前記トーン信号通信部６２ａによって前記ファクシミリ装置Ｘ２に送信される（図４（ｃ）参照）。ここに，前記ファクシミリ通信部６ａを制御することにより，前記返信信号と同種の信号で前記進行内容を示す信号を送信するときの前記制御部８ａが第２の信号送信手段に相当する。
一方，前記ファクシミリ装置Ｘ１からトーン信号を受信した前記ファクシミリ装置Ｘ２では，前記ステップＳ２３においてトーン信号を用いる旨が設定されているため，前記トーン信号に対応する前記進行内容に応答する返信トーン信号が，前記トーン信号通信部６２ｂによって前記ファクシミリ装置Ｘ１に返信される。
即ち，前記ファクシミリ装置Ｘ１は，トーン信号を送受信することが可能な前記ファクシミリ装置Ｘ２との間では，前記ステップＳ１３の判定後における前記ファクシミリ通信手順のフェーズＤ（図４（ｃ）参照）やフェーズＥ等において，バイナリ信号よりも送信時間の短いトーン信号を送受信することによってファクシミリ通信手順を進行させることができるため，ファクシミリ通信の通信時間の短縮を図ることができる。なお，一般に，所定のデータ長の２進数のデジタルデータであるバイナリ信号の送受信は，該バイナリ信号の周波数変調・復調処理が伴うため，トーン信号の送受信よりも長い通信時間を要する。また，バイナリ信号は，そのデータ長が長くなる程，送受信に長い通信時間を要する。
また，トーン信号を送受信することが可能な前記ファクシミリ装置Ｘ１及び前記ファクシミリ装置Ｘ２の間では，従来，フェーズＤにおいて１ページの送信終了後毎に送信されていた前記ＭＰＳ信号や前記ＭＣＦ信号が，前記周波数１２００Ｈｚのトーン信号や前記周波数１２５０Ｈｚのトーン信号に代えて送信されるため，送信ページ数の増大に伴ってファクシミリ通信の通信時間の短縮効果が高まる。
【００２４】
他方，処理がステップＳ１５に移行すると，ここでは，前記ファクシミリ装置Ｘ２に前記進行内容を送信する際には，該進行内容に対応するバイナリ信号を送信するように前記制御部８ｂによって設定され，当該信号種別設定処理が終了される。これにより，前記ファクシミリ装置Ｘ１では，従来通り，前記ファクシミリ通信部６ａが前記制御部８ａに制御されることにより，前記進行内容に対応するバイナリ信号が前記バイナリ信号通信部６１ａによって前記ファクシミリ装置Ｘ２に送信される（図６参照）。なお，前記ファクシミリ装置Ｘ１からバイナリ信号を受信した前記ファクシミリ装置Ｘ２では，前記ステップＳ２３においてバイナリ信号を用いる旨が設定されているため，前記バイナリ信号に対応する前記進行内容に応答するバイナリ信号が，前記バイナリ信号通信部６１ｂによって前記ファクシミリ装置Ｘ１に返信される。
即ち，前記ファクシミリ装置Ｘ１の送信先の端末が，トーン信号の送受信に対応不能である場合には，当該ステップＳ１５において，送信信号がバイナリ信号に設定される。そのため，前記ファクシミリ装置Ｘ１は，送信先の端末がトーン信号の送受信に対応不能であっても，従来通りのファクシミリ通信を実行することが可能である。また，前記ファクシミリ装置Ｘ１は，前記ファクシミリ通信手順のフェーズＢにおける送信条件の初期設定時などに，送信する信号種別を設定するのではなく，前記フェーズＤの開始に際して送信する信号種別を設定するものであるため，前記フェーズＢにおける設定項目を変更する必要がない。
【００２５】
なお，本実施の形態では，前記ステップＳ１においてバイナリ信号とトーン信号とが多重化された多重信号が送信される例について述べたが，トーン信号とバイナリ信号とを順次送信するものであってもかまわない。この場合にも，前記ファクシミリ装置Ｘ１から前記ファクシミリ装置Ｘ２へ前記トーン信号が送信された段階で，該ファクシミリ装置Ｘ２から該ファクシミリ装置Ｘ１へ返信信号としてトーン信号が送信される。なお，前記ファクシミリ装置Ｘ２がトーン信号に対応していない場合には，トーン信号の次に送信されるバイナリ信号に応答して返信信号としてバイナリ信号が送信されることとなる。
【実施例】
【００２６】
ここに，図５はファクシミリ通信手順のフェーズＤにおける信号再送機能を説明する図であって，図５（ａ）は従来の信号再送処理，図５（ｂ）は前記ファクシミリ通信システムＸにおける信号再送処理を示している。
前記実施の形態で述べたように，前記ファクシミリ装置Ｘ２がトーン信号の送受信が可能である場合には，前記ファクシミリ装置Ｘ１と前記ファクシミリ装置Ｘ２との間で，ファクシミリ通信を進行させるための進行内容を送信する際に，トーン信号が用いられるが，このトーン信号がノイズ等の影響により前記ファクシミリ装置Ｘ１と前記ファクシミリ装置Ｘ２との間で正常に伝達されないことが考えられる。
そのため，前記ファクシミリ装置Ｘ１（Ｘ２）の制御部８ａ（８ｂ）は，トーン信号の送信開始後，相手からの応答があるまで，前記トーン信号の送信を連続的或いは断続的に送信するように制御する信号再送処理を実行する信号再送機能を備えている。これにより，前記ファクシミリ装置Ｘ１及び前記ファクシミリ装置Ｘ２の間のファクシミリ通信の信頼性が向上する。
【００２７】
ところで，前記フェーズＤにおいてバイナリ信号を用いて前記進行内容を送受信していた従来のファクシミリ通信手順においても，前記制御部８ａ（８ｂ）が備えた前記信号再送機能により，バイナリ信号の送信開始後，相手からの応答があるまで，前記バイナリ信号が所定時間経過毎に送信されていた。例えば，図５（ａ）に示すように，前記ファクシミリ装置Ｘ１から前記ファクシミリ装置Ｘ２に前記ＭＰＳ信号を送信した後，前記ファクシミリ装置Ｘ２から前記ＭＣＦ信号が送信されると想定される時間ｔ１が経過した場合であっても，該ＭＣＦ信号が受信されない場合には，前記ファクシミリ装置Ｘ１から前記ファクシミリ装置Ｘ２に再度ＭＰＳ信号が送信される。
しかし，前記ファクシミリ通信システムＸでは，前記フェーズＤにおいてトーン信号を用いて前記進行内容が送受信されるため，前記信号再送処理における通信時間が短縮される。具体的には，図５（ｂ）に示すように，前記ファクシミリ装置Ｘ１から前記ファクシミリ装置Ｘ２にトーン信号を送信した後，前記ファクシミリ装置Ｘ２から返信信号（トーン信号）が送信されると想定される時間ｔ２が経過した場合であっても，該返信信号が受信されない場合には，前記ファクシミリ装置Ｘ１から前記ファクシミリ装置Ｘ２に再度トーン信号が送信される。ここで，前述したように，前記トーン信号は，前記バイナリ信号の送信時間に比べて短い通信時間で送信することが可能であるため，前記時間ｔ２を前記時間ｔ１よりも短く設定することができる。即ち，前記ファクシミリ通信システムＸにおいては，前記信号再送処理における通信時間の短縮を図ることができる。
【図面の簡単な説明】
【００２８】
【図１】本発明の実施の形態に係るファクシミリ通信システムＸの概略構成を示すブロック図。
【図２】バイナリ信号，トーン信号及び進行内容の対応図。
【図３】ファクシミリ装置Ｘ１において制御部８ａにより実行される信号種別設定処理の一例を説明するフローチャート。
【図４】本発明の実施の形態に係るファクシミリ通信システムＸにおいて実行されるファクシミリ通信手順のフェーズＤの一例を示す図。
【図５】ファクシミリ通信手順のフェーズＤにおける信号再送機能を説明する図。
【図６】従来のファクシミリ通信手順の一例を説明する図。
【符号の説明】
【００２９】
Ｘ…ファクシミリ通信システム
Ｘ１…ファクシミリ装置（送信端末の一例）
Ｘ２…ファクシミリ装置（受信端末の一例）
１ａ，１ｂ…スキャナ部
２ａ，２ｂ…画像メモリ
３ａ，３ｂ…画像形成部
４ａ，４ｂ…操作部
５ａ，５ｂ…表示部
６ａ，６ｂ…ファクシミリ通信部
７ａ，７ｂ…記憶部
８ａ，８ｂ…制御部（照合手段，リモート診断許可手段に相当）
１１…電話回線
６１ａ，６１ｂ…バイナリ信号通信部
６２ａ，６２ｂ…トーン信号通信部
６３ａ，６３ｂ…画像データ通信部
Ｓ１１，Ｓ１２，，，…処理手順（ステップ）番号
Ｓ２１，Ｓ２２，，，…処理手順（ステップ）番号
【図１】
2006339767.tif 000003
【図２】
2006339767.tif 000004
【図３】
2006339767.tif 000005
【図４】
2006339767.tif 000006
【図５】
2006339767.tif 000007
【図６】
2006339767.tif 000008